(57)【特許請求の範囲】
【請求項１】
無線ネットワークにおいて制御情報を送信する方法であって、
制御情報の送信に特化して確保された制御セグメントを形成する通信帯域幅の複数のタイルのサブセットを判定することと、ここで、前記複数のタイルは、少なくとも１つのパイロット信号を含むトーンのセットを有し、
前記複数のタイルのサブセットの一部において多重化された前記制御情報を送信することと
を備える方法。
【請求項２】
前記制御情報は、ランダムまたは準ランダムなシーケンスに少なくとも部分的に基づいて、前記複数のタイルのサブセットの一部において多重化される請求項１に記載の方法。
【請求項３】
前記ランダムまたは準ランダムなシーケンスは、送信機に特有である請求項２に記載の方法。
【請求項４】
前記ランダムまたは準ランダムなシーケンスは、セクタに特有である請求項２に記載の方法。
【請求項５】
前記制御情報を、前記複数のタイルのサブセットの一部で送信することをさらに備える請求項４に記載の方法。
【請求項６】
前記複数のタイルのサブセットの一部は、干渉判定を容易にするパイロット情報を備える請求項１に記載の方法。
【請求項７】
無線通信装置であって、
制御情報を送信することに特化した複数のタイルのうちの確保された制御セグメントの一部である複数のタイルによって多重化された制御情報を送信するように構成された少なくとも１つのプロセッサと、ここで、前記複数のタイルは、少なくとも１つのパイロット信号を含むトーンのセットを有し、
前記少なくとも１つのプロセッサに結合されたメモリと
を備える無線通信装置。
【請求項８】
前記少なくとも１つのプロセッサはさらに、ランダムまたは準ランダムなシーケンスに少なくとも部分的に基づいて、前記複数のタイルを多重化するように構成された請求項７に記載の無線通信装置。
【請求項９】
前記シーケンスは前記無線通信装置に特有である請求項８に記載の無線通信装置。
【請求項１０】
前記シーケンスは、前記確保された制御セグメントによる無線通信装置干渉を最小化するために、予め定めた構成に少なくとも部分的に基づいて選択される請求項８に記載の無線通信装置。
【請求項１１】
前記複数のタイルはさらに、パイロット情報を備える請求項７に記載の無線通信装置。
【請求項１２】
無線ネットワークにおいて制御情報を送信するための無線通信装置であって、
制御情報を送信することに特化して確保された制御セグメントに関連する通信帯域幅の複数のタイルのサブセットを確保する手段と、ここで、前記複数のタイルは、少なくとも１つのパイロット信号を含むトーンのセットを有し、
制御情報を送信するための前記複数のタイルのサブセットの一部を選択する手段と、
前記複数のタイルのサブセットの一部において多重化された制御情報を送信する手段と
を備える無線通信装置。
【請求項１３】
前記制御情報に誤り制御符号を加える手段をさらに備える請求項１２に記載の無線通信装置。
【請求項１４】
前記複数のタイルのサブセットの一部において、前記制御情報を、パイロットとともに多重化する手段をさらに備える請求項１２に記載の無線通信装置。
【請求項１５】
前記制御情報は、前記無線通信装置に特有のランダムなシーケンスにしたがって変調される請求項１４に記載の無線通信装置。
【請求項１６】
前記確保された制御セグメントは、複数の別の無線通信装置によって制御情報を送信することに特化した請求項１２に記載の無線通信装置。
【請求項１７】
コンピュータ読取可能な記憶媒体であって、
少なくとも１つのコンピュータに対して、制御情報を送信することに特化して確保された制御セグメントを形成する通信帯域幅の複数のタイルのサブセットを判定させるためのコードと、ここで、前記複数のタイルは、少なくとも１つのパイロット信号を含むトーンのセットを備える、
前記少なくとも１つのコンピュータに対して、前記複数のタイルのサブセットの一部において多重化された制御情報を送信させるためのコードと
を記憶したコンピュータ読取可能な記憶媒体。
【請求項１８】
前記制御情報は、ランダムまたは準ランダムなシーケンスに少なくとも部分的に基づいて、前記複数のタイルのサブセットの一部において多重化される請求項１７に記載のコンピュータ読取可能な記憶媒体。
【請求項１９】
無線通信装置であって、
制御情報を送信することに特化して確保された制御セグメントに関連する通信帯域幅の複数のタイルのサブセットを確保し、ここで、前記複数のタイルは、少なくとも１つのパイロット信号を含むトーンのセットを有し、
前記複数のタイルのサブセットの一部において多重化された制御情報を送信するように構成されたプロセッサと、
前記プロセッサに結合されたメモリと
を備える無線通信装置。
【請求項２０】
前記制御情報は、時間変動関数にしたがって、前記複数のタイルのサブセットの一部において多重化される請求項１に記載の方法。
【請求項２１】
前記少なくとも１つのプロセッサは、時間変動関数にしたがって、前記１または複数のタイルを多重化するようにさらに構成された請求項７に記載の無線通信装置。
【請求項２２】
時間変動関数にしたがって、前記複数のタイルのサブセットの一部において、前記制御情報を、多重化する手段をさらに備える請求項１２に記載の無線通信装置。
【請求項２３】
時間変動関数にしたがって、前記複数のタイルのサブセットの一部において多重化される請求項１７に記載のコンピュータ読取可能な記憶媒体。
【発明の詳細な説明】
【関連出願】
【０００１】
本願は、２００７年１１月１６日に出願され"RANDOM REUSE BASED CONTROL CHANNELS"と題された米国仮特許出願６０／９８８，４９８号の利益を主張する。上記出願の全体は、参照によって本明細書に組み込まれる。
【技術分野】
【０００２】
以下の記載は、一般に無線通信に関し、さらに詳しくは、無線通信チャネルで制御情報を送信することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、３ＧＰＰ２、ウルトラ・モバイル・ブロードバンド（ＵＭＢ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
ＭＩＭＯシステムはデータ送信のために一般に、複数（ＮＴ個）の送信アンテナと複数（ＮＲ個）の受信アンテナとを適用する。アンテナは、基地局とモバイル・デバイスとの両方に関連しており、一例では、無線ネットワークにおけるデバイス間の双方向通信を可能とする。モバイル・デバイスが、基地局、あるいは、信号強度または品質の観点から最も好ましい基地局ではないかもしれないその他のアクセス・ポイントへ接続できるように、基地局がヘテロジニアスに配置されうる。例えば、セキュリティ、サービス利用度等に関連する理由によって、モバイル・デバイスよって、住宅ベースのアクセス・ポイントが使用されうる。しかしながら、このアクセス・ポイントは、モバイル・デバイスとアクセス・ポイントとの間の通信と干渉しうるより大きな信号強度を備えた基地局と、物理的に近接している場合がある。逆もまたあり、基地局と通信中のデバイスが、住宅ベースのアクセス・ポイントの範囲内に来ることもある。したがって、干渉は一貫しておらず、従来の構成よりもより予測しにくい。
【発明の概要】
【０００６】
以下は、１または複数の実施形態の基本的な理解を提供するために、これら実施形態の簡単な概要を示す。この概要は、考えられるすべての実施形態の広範な概観ではなく、すべての実施形態の重要要素または決定的要素を特定することでもなく、任意またはすべての実施形態の範囲を線引きすることも意図されていない。その唯一の目的は、１または複数の実施形態のいくつかの概念を、後に示されるより詳細な記載に対する前置きとして、より簡単な形式で表すことである。
【０００７】
１または複数の実施形態およびその対応する開示によれば、さまざまな態様が、制御情報を送信する１または複数のデバイスに関連する通信チャネル部分の電力をブランクまたは低減することを容易にすることに関連して記載される。制御情報を送信するために利用される制御チャネルは、チャネルの複数の部分において制御情報を多重化することによって、データを送信する１または複数のデバイスによって、ランダムに再使用されうる。これに関し、データを送信するために使用されるすべての部分の干渉の可能性が低減するが、これら部分のうちのいくつかが、推定および復号のために利用可能であるならば、データは未だに突き止められる。
【０００８】
関連する態様によれば、無線ネットワークにおいて制御情報を通信することを容易にする方法が提供される。この方法は、制御情報を送信することに特化された確保された制御セグメントのうちの１または複数のタイルによって送信された制御情報を受信することを含む。この方法はさらに、１または複数のタイルについて、それぞれの干渉レベルを判定することと、それぞれの干渉レベルに少なくとも部分的に基づいて、後の復号のため、タイルに重み付けをすることとを含みうる。
【０００９】
別の態様は、無線通信装置に関する。この無線通信装置は、確保された制御セグメントによって受信した１または複数の制御情報タイルにおける干渉レベルを判定し、干渉レベルに少なくとも部分的に基づいて、後の復号のため、制御情報タイルに重み付けをするように構成された少なくとも１つのプロセッサを含みうる。この無線通信装置はまた、少なくとも１つのプロセッサに結合されたメモリを含みうる。
【００１０】
また別の態様は、無線ネットワークにおいて制御情報を通信することを容易にする無線通信装置に関する。この無線通信装置は、制御情報を送信することに特化された確保された制御セグメントで受信された１または複数のタイルのそれぞれの干渉レベルを判定する手段を含みうる。この無線通信装置はさらに、それぞれの干渉レベルに少なくとも部分的に基づいて、後の復号のため、タイルに重み付けをする手段を含みうる。
【００１１】
また別の態様は、コンピュータ読取可能媒体を有しうるコンピュータ・プログラム製品に関する。このコンピュータ・プログラム読取可能媒体は、制御情報を送信するために特化された確保された制御セグメントで送信された制御情報を受信することを含む。このコンピュータ読取可能媒体はさらに、少なくとも１つのコンピュータに対して、１または複数のタイルのそれぞれの干渉レベルを判定させるためのコードと、少なくとも１つのコンピュータに対して、それぞれの干渉レベルに少なくとも部分的に基づいて、後の復号のため、タイルに重み付けすることを実行させるためのコードとを含みうる。
【００１２】
別の態様によれば、無線通信システムにおける装置は、制御情報を送信するために特化された確保された制御セグメントによって受信された、１または複数のタイルそれぞれの干渉レベルを判定するように構成されたプロセッサを含みうる。このプロセッサはまた、それぞれの干渉レベルに少なくとも部分的に基づいて、後の復号のため、タイルに重み付けをするようにも構成されうる。また、この装置は、プロセッサに結合されたメモリを含みうる。
【００１３】
さらなる態様によれば、無線ネットワークにおいて制御情報を送信することを容易にする方法が提供される。この方法は、制御情報を送信することに特化された確保された制御セグメントを形成する通信帯域幅のタイルのサブセットを判定することと、確保された制御セグメントのタイルの一部によって制御情報を送信することとを備えうる。
【００１４】
別の態様は、無線通信装置に関する。この無線通信装置は、制御情報を送信することに特化された確保された制御セグメント・タイルの一部である１または複数のタイルによって制御情報を送信するように構成された少なくとも１つのプロセッサを含みうる。この無線通信装置はまた、少なくとも１つのプロセッサに結合されたメモリをも含みうる。
【００１５】
また別の態様は、無線ネットワークにおいて制御情報を送信する無線通信装置に関する。この無線通信装置は、制御情報を送信することに特化された制御セグメントに関連する通信帯域幅のタイルのサブセットを受信する手段を備えうる。この無線通信装置はさらに、制御情報を送信するタイルのサブセット部分を選択する手段と、タイルのサブセット部分によって制御情報を送信する手段とを備えうる。
【００１６】
また別の態様は、コンピュータ読取可能媒体を有するコンピュータ・プログラム製品に関する。このコンピュータ読取可能媒体は、少なくとも１つのコンピュータに対して、制御情報を送信することに特化された確保された制御セグメントを形成する通信帯域幅のタイルのサブセットを判定させるためのコードを含む。このコンピュータ読取可能媒体はさらに、少なくとも１つのコンピュータに対して、確保された制御セグメントのタイルの一部によって制御情報を送信させるためのコードを備えうる。
【００１７】
別の態様によれば、制御情報を送信するために確保された制御セグメントに関連する通信帯域幅のタイルのサブセットを確保し、確保された制御セグメントのタイルの一部で制御情報を送信するように構成されたプロセッサを含む装置が、無線通信システムにおいて提供されうる。さらに、この装置は、プロセッサに結合されたメモリを含みうる。
【００１８】
前述した目的および関連する目的を達成するために、１または複数の実施形態は、以下に十分説明され、特に特許請求の範囲で指摘される特徴を備える。以下の記載および関連する図面は、１または複数の実施形態のある例示的な態様を詳細に述べる。これらの態様は、さまざまな実施形態の原理が適用されるさまざまな方法のうちのほんのいくつかを示すのみであり、記載された実施形態は、そのようなすべての態様およびそれらの均等物を含むことが意図される。
【図面の簡単な説明】
【００１９】
【図１】図１は、本明細書に記載されたさまざまな態様にしたがう無線通信システムの実例である。
【図２】図２は、無線通信環境において適用される通信装置の実例である。
【図３】図３は、無線ネットワークにおいて制御情報を通信することを有効にする無線通信システムの実例である。
【図４】図４は、制御情報を通信するために確保された制御セグメントの実例である。
【図５】図５は、制御情報を通信することを容易にする方法の実例である。
【図６】図６は、制御情報を受信することを容易にする方法の実例である。
【図７】図７は、制御情報を通信するために確保された制御セグメントを再使用することを容易にするモバイル・デバイスの実例である。
【図８】図８は、確保された制御セグメントによる制御情報の受信を容易にするシステムの実例である。
【図９】図９は、本明細書に記載されたさまざまなシステムおよび方法と共に使用することができる無線ネットワーク環境の実例である。
【図１０】図１０は、無線ネットワークにおいて制御情報を受信するシステムの実例である。
【図１１】図１１は、無線ネットワークにおいて制御情報を送信するシステムの実例である。
【発明を実施するための形態】
【００２０】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明からである。他の事例では、１または複数の実施形態の記載を容易にするために、周知の構成およびデバイスがブロック図形式で示される。
【００２１】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２２】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用され、アクセス・ポイント、ノードＢ、イボルブド・ノードＢ（ｅノードＢまたはｅＮＢ）、基地トランシーバ局（ＢＴＳ）、あるいはその他いくつかの専門用語で称されうる。
【００２３】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２４】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からドキュメントに記述されている。ＣＤＭＡ２０００およびＵＭＢは、「第３世代パートナシップ計画プロジェクト」（３ＧＰＰ２）と命名された組織からドキュメントに記述されている。
【００２５】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２６】
基地局１０２は、例えばアクセス端末１１６およびアクセス端末１２２のような１または複数のアクセス端末と通信することができる。しかしながら、基地局１０２は、アクセス端末１１６およびアクセス端末１２２に類似した実質的に任意の数のアクセス端末と通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。さらに、また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６、１２２は、図示するように、ピア・トゥ・ピアまたはアド・ホック技術を用いて互いにダイレクトに通信しうる。
【００２８】
例によれば、システム１００は、複数入力複数出力（ＭＩＭＯ）通信システムでありうる。さらに、システム１００は、通信チャネル（例えば、順方向リンク、逆方向リンク）を分割するために、例えばＦＤＤ、ＴＤＤ等のような実質的に任意のタイプのデュプレクス技術を適用しうる。通信チャネルは、１または複数の論理チャネルを備えうる。そのような論理チャネルは、モバイル・デバイス１１６、１２２と基地局１０２との間で（例えば、ピア・トゥ・ピア構成におけるモバイル・デバイス１１６からモバイル・デバイス１２２へ）制御情報を送信するために提供されうる。一例において、モバイル・デバイス１１６、１２２は、割り当てられた通信チャネルに関するパラメータを示すために、基地局１０２にチャネル品質インジケータ（ＣＱＩ）情報を送信しうる。このＣＱＩ制御情報に基づいて、基地局１０２は、例えば、モバイル・デバイス１１６および／またはモバイル・デバイス１２２へ追加の通信チャネル・リソースを割り当てうる。それに加えて、基地局１０２は、例えば、モバイル・デバイス１１６、１２２からデータを受信したことに関するアクノレッジメント情報のような制御情報を、制御チャネルを介してモバイル・デバイス１１６および／またはモバイル・デバイス１２２へ送信しうる。
【００２９】
一例において、基地局１０２は、無線通信ネットワークにおける複数の基地局またはアクセス・ポイントのうちの１つになりえる。ネットワークは、デバイス、基地局、あるいはその他のアクセス・ポイントとの間で、信号強度、信号対雑音比（ＳＮＲ）等の観点から最良という訳ではない通信を可能にしうる。これによって、デバイスは、例えば、基地局やアクセス・ポイントから提供されるサービス、サービス・レベルまたは利用可能度、１または複数の別のデバイスへのアクセスのようなその他の理由によって、基地局または他のアクセス・ポイントへ接続できるようになる。したがって、モバイル・デバイス１１６およびモバイル・１２２は、基地局１０２と通信していても、支配的な干渉をもたらすアクセス・ポイント（図示せず）、および／または、その間で通信しており、干渉をもたらすモバイル・デバイスが存在しうる。さらに、その干渉は、衝動的でありうるので、基地局１０２および／またはモバイル・デバイス１１６および／またはモバイル・デバイス１２２は、すべての場合において、干渉を予測することも、考慮することもできない。
【００３０】
一例において、複数の送信デバイス（例えば、モバイル・デバイス１１６および／またはモバイル・デバイス１２２）は、例えば、ＯＦＤＭコンテキストにおけるトーン数のような帯域幅部分による非制御情報の送信電力を低減し、もって、制御情報を送信する帯域幅部分を効率的に確保する。（図示していないが）無線通信システム１００のうちの実質的にすべての追加の送信デバイスもまた、制御情報を送信するために確保された制御セグメントを確立するために、確保された制御帯域幅による非制御情報の送信電力を低減しうる。その上、これらデバイスは、このセグメントによって非制御情報を送信しないことを選択しうる。これに関し、送信機は、確保された制御セグメントによるデータ送信干渉なく、確保された制御セグメントによって制御情報を送信しうる。確保された制御部分は、例えば、多くの時間期間またはフレームにわたって反復および／または変動しうる。さらに、確保された制御セグメントは、例えば時間および／または周波数において連続または不連続でありうる。モバイル・デバイス１１６および／またはモバイル・デバイス１２２は、別のデバイスからの干渉を緩和するために、確保された制御セグメントを再使用することによって、制御情報を送信しうる。
【００３１】
確保された制御セグメントを再使用することは、制御チャネルを送信するために、確保された制御セグメントの一部を使用することに関連する。これに関し、（例えば、基地局またはモバイル・デバイスのような）類似のデバイスは、互いの干渉を回避するために、確保された制御セグメントの別の一部を利用しうる。例えば、確保された制御セグメントは、時間変動関数等を用いて、ランダムに、あるいは準ランダムに、のような多くの方式で使用されうる。さらに、一例において、確保された制御セグメントの全体が、制御データを送信する際に再使用するために、多くの小さな部分に分割されうる。さらに、例えば、これら部分は、これら部分のランダムな（あるいは準ランダムな）選択にしたがって使用されうる。これによって、任意の２つのデバイスが、必ずしもすべての部分を送信する必要のない部分のうちのいくつかにおいて互いに干渉しうる。したがって、モバイル・デバイス１１６とモバイル・デバイス１２２とに関し、無線ネットワークにおいて、予測不能の干渉が存在しうるものの、これらデバイスは、基地局１０２が制御情報を、あるいは、チャネルを推定しデータを適切に復号するために十分な多重化シンボルを受信することが高い可能性で、制御情報を送信しうる。複数のデバイスが、確保された制御セグメントの一部によって、異なるタイプの制御情報を送信し、例えば、モバイル・デバイス１１６が、ＣＱＩ情報を送信し、モバイル・デバイス１２２が、同じ部分でアクノレッジメント情報を送信しうることが認識されるべきである。それに加えて、確保された制御セグメントは、１または複数のサブセットに分割される。そして、与えられたサブセットを用いるデバイスが、同じサブセットにおいて互いに干渉しうるものの、サブセット外では干渉しないように利用される。
【００３２】
図２に移り、無線通信環境において適用される通信装置２００が例示される。通信装置２００は、基地局またはその一部、モバイル・デバイスまたはその一部、あるいは、無線通信環境で送信されたデータを受信する実質的に任意の通信装置でありうる。通信装置２００は、説明するように、再使用方式で（例えば、ランダムに、準ランダムに、時間変動関数にしたがって等により）確保された制御セグメントで制御情報送信をスケジュールする制御帯域幅再使用部２０２と、確保された制御セグメントのうちの１または複数の時間／周波数ブロックによって制御情報を拡散するマルチプレクサ２０４と、確保された制御セグメントで制御情報を送信する送信機２０６とを含みうる。
【００３３】
一例によれば、確保された制御セグメントは、通信装置および関連する装置（図示せず）から制御情報を送信するために定められる。そして、この装置は、制御情報の送信を試みているデバイス間の干渉を緩和するために、説明するように、確保された制御セグメントでの非制御情報送信のための電力をブランクまたは低減しうる。一例において、通信装置２００は、１または複数の基地局および／またはアクセス・ポイントと通信する、無線通信ネットワーク内の複数のモバイル・デバイスのうちの１つ（あるいは、別の例ではその逆）でありうる。無線通信ネットワークは、選択されたアクセス・ポイントまたは基地局とのモバイル・デバイス接続をサポートし、これによって、（例えば、最適な信号強度、ＳＮＲ等によって決定された）最も適切な基地局が、通信のために選択されない場合がある。これは、例えば、提供されているサービス、アクセス・ポイント（例えば、住宅ベースのアクセス・ポイント）のアクセス性またはアクティビティ・レベル等を含むさまざまな要因に基づきうる。
【００３４】
それに加えて、通信装置２００は、ヘテロジニアスに構成されたネットワークの一部であり、ここでは、通信装置２００またはそのユーザは、パス・ロスは低いがＳＮＲも悪い低電力受信機に接続することを選択することができる。例えば、ある場合には、基地局が、低い受信電力および低いＳＮＲを有する場合であっても、端末は、低いパス・ロスを有する低送信電力の基地局によってサービス提供されることが望ましい。なぜなら、低電力の基地局は、全体として、ネットワークへ低い干渉しかもたらさずに、モバイル・デバイスにサービス提供しうるからである。さらに、複数の低電力基地局が、異なるユーザまたはモバイル・デバイスに同時にサービス提供しうるので、単一のユーザ／デバイスにサービス提供する高電力基地局と比べて、帯域幅をより効率的に使用する。
【００３５】
これに関し、干渉を引き起こす通信装置２００による接続のために選択されたものよりも高いＳＮＲを有し、より物理的に好ましいアクセス・ポイントが存在しうる。したがって、この干渉は、干渉回避のための従来の方法および技術を用いることは考慮されない。したがって、制御情報を送信するデバイスは、送信機間での実質的な干渉なしで制御情報を送信することを容易にするために、制御情報を送信するために利用される帯域幅のうちの確保された制御セグメントによって、チャネル送信を制御するのではなく、データ送信をブランクしうる（例えば、その部分による送信電力を実質的に低減または除去しうる）。
【００３６】
制御帯域幅再使用部２０２は、確保された制御セグメントによって送信されるべき制御情報をスケジュールしうる。これに関し、確保された制御セグメントは、１または複数のブロックへ分割されうる。ここでは、一例において、おのおののブロックが、ＯＦＤＭシンボルわたり１または複数の隣接した、または隣接していない、１または複数の周波数トーンを備える。そして、制御帯域幅再使用部２０２は、制御情報を送信するために、１または複数のブロックのうちのサブセットを選択しうる。おのおののブロックは、帯域幅のタイルまたはサブタイルと称されうる。したがって、これらタイルのうちの一部を用いることによって、別の通信装置からの干渉の可能性が実質的に低減されうる。例えば、これらタイルは、マルチプレクサ２０４によってランダムに（例えば、準ランダムに、あるいはその他の方式で）、あるいは、例えば時間変動関数のような多重化計画にしたがって選択されうる。さらに、例えば、通信装置２００を一意に識別する通信装置２００の媒体アクセス制御（ＭＡＣ）識別子にしたがって、あるいは他の識別子にしたがって、ランダムな関数または時間変動関数が適用されうる。それに加えて、制御帯域幅再使用部２０２は、限定される訳ではないが、畳み込み符号化、ターボ符号化、ランダム符号化、変調符号化、および／または、反復符号化を含むさまざまな符号化技術を用いて制御情報を符号化しうる。例えば、これは、所与のＭＡＣ識別子に特有でありうる。その後、送信機２０６は、選択されたタイルのサブセットによって、制御情報を送信しうる。サブセットのうちの１または複数のタイルは実質的に干渉を受けるが、複数のタイルを用いることによって、干渉を受けないいくつかのタイルが存在しうる。一例では、制御情報は、これらのタイルを用いて、正しく復号されうる。
【００３７】
さらに、制御帯域幅再使用部２０２は、制御情報を送信するために利用するタイルの数を指定しうる。この数は、例えば、ランダムまたは準ランダム等によって選択され、通信装置２００のＭＡＣ識別子、固定数、等に少なくとも部分的に基づきうる。別の例において、これらタイルは、制御情報タイルによる通信が干渉を受けないことを保証するために、セクタまたはネットワークの複数の通信装置間で共有されうる計画にしたがって計画されうる。例えば、この計画は、時間変動関数でありうる。この関数は、通信装置２００のＭＡＣ識別子にしたがって特有でありうる。さらに、一例において、例えば、デバイスの数、なりうる干渉元デバイスの距離、１または複数のデバイスの信号強度、対応する基地局またはアクセス・ポイントに関するデバイスの位置等のような１または複数の推論にしたがって、タイルの数が選択されうる。それに加えて、確保された制御セグメントは、複数のＯＦＤＭシンボルを備え、１または複数のタイルは、時間部分で隣接したあるいは隣接していない１または複数のＯＦＤＭシンボルの、隣接したサブキャリア、あるいは、隣接していないサブキャリアを表しうる。さらに、利用されるサブキャリアは、時間部分にわたって変動しうる。
【００３８】
図３を参照して、無線通信ネットワークにおいて、低い干渉確率で制御情報を送信することを容易にする無線通信システム３００が例示される。このシステム３００は、無線送信機３０４（および／または、任意の数の（図示しない）別のデバイス）と通信しうる無線受信機３０２を含む。この無線受信機３０２は、順方向リンク・チャネルで無線送信機３０４に情報を送信しうる。さらに、無線受信機３０２は、その逆に、逆方向リンク・チャネルで無線送信機３０４から情報を受信しうる。さらに、システム３００は、ＭＩＭＯシステムでありうる。それに加えて、システム３００は、ＯＦＤＭＡ無線ネットワーク（例えば、３ＧＰＰ、３ＧＰＰ  ＬＴＥ等）で動作しうる。また、無線受信機３０２において示され以下に説明される構成要素および機能は、一例として、その逆に、無線送信機３０４内にも存在しうる。これに関し、無線受信機３０２および無線送信機３０４は、例えば、基地局、モバイル・デバイス、および／または、それらの一部でありうる。
【００３９】
無線受信機３０２は、制御帯域幅推定器３０６と制御情報復号器３０８とを含む。制御帯域幅推定器３０６は、１または複数の通信可能に結合された送信機によって制御情報を送信するために利用される、復号のための帯域幅の関連部分を決定する。この関連部分は、説明するように、送信機による制御情報の送信のために確保された制御セグメントでありうる。制御情報復号器３０８は、送信された制御情報を判定するために、推定された帯域幅を復号する。無線送信機３０４は、１または複数の受信機に送信する制御情報を生成する制御情報定義部３１０を含む。制御情報は、例えば、示されたチャネル品質に依存して、追加のリソースを無線通信機３０４に提供するために、受信機によって利用されうるＣＱＩ情報に関連しうる。無線送信機３０４はさらに、定義された制御情報を送信するために、確保された制御セグメントを利用する制御帯域幅再使用部３１２と、確保された制御セグメントによる干渉の検出を容易にするために、パイロット情報を制御情報とともに変調するデータ／パイロット・マルチプレクサ３１４とを備えうる。
【００４０】
一例において、無線受信機３０２と無線送信機３０４とは、信号強度／ＳＮＲにしたがって、最も好ましいものではない接続を可能にするヘテロジニアスに構成された無線ネットワークで通信しうる。さらに、ネットワークは、１または複数の周波数トーンが１または複数の所与の時間期間で定義され、通信のために利用されるように、ＯＦＤＭＡを用いて通信するネットワークでありうる。無線送信機３０４は、この例では、多くのトーンを備える確保された制御セグメントによる非制御情報のための送信電力を低減しうる。
【００４１】
制御情報定義部３１０は、無線受信機３０２から受信したチャネル・リソースの品質に関連するデータを生成しうる。例えば、制御情報は、リソースによる通信の品質、ＳＮＲ等に関連しうる。制御帯域幅再使用部３１２は、制御情報を送信するために確保された制御セグメントのトーンのタイル、または、１または複数の周波数トーンを決定しうる。この決定は、既に説明したように、ランダムまたは準ランダムな多重化計画、あるいは、例えば、所与の送信機のＭＡＣ識別子に特有のその他の多重化計画（例えば、時間変動関数）によってなされうる。それに加えて、制御情報は、ランダムまたは準ランダムなシーケンス、（例えば、無線送信機３０４）のような複数の無線送信機間でのチャネルによる衝突の可能性を低減する再使用シーケンス、無線ネットワークまたは通信に関連してなされた推論等にしたがって、タイル内で、コヒーレントに、あるいは、非コヒーレントに変調されうる。
【００４２】
データ／パイロット・マルチプレクサ３１４は、復号の可能性の判定を容易にするために、タイルでパイロット・データを制御情報と結合するために利用されうる。例えば、無線受信機３０２は、無線送信機３０４と関連している、前のパイロット情報を取得しうる。制御帯域幅の再使用可能な部分で制御情報をスケジュールし、その間のパイロット・データを多重化した後に、無線送信機３０４は、これらチャネルによってデータを無線受信機３０２へ送信しうる。制御帯域幅推定器３０６は、干渉の可能性を判定するために、このパイロット・データを利用しうる。制御情報復号器３０８によって、多重化されたパイロット・データに基づく干渉の可能性が低いタイルまたはチャネルが推定され、その後、制御情報が復号される。制御情報が非コヒーレントに変調される場合、チャネルは推定される必要がないことが認識されるべきである。それに加えて、干渉を受けたタイル、あるいは、より高い干渉の可能性を有するタイルが推定されるか、および／または、そうでない場合には、復号されうる。例えば、高い干渉が検出されるタイルのために、より低い重み付けが使用されうる。したがって、データ通信に関して、確保された制御セグメントによる電力を低減することと、制御チャネルのうちの複数のタイルを再使用することによって制御情報を送信することによって、説明するように、送信機間の干渉の可能性を低減し、パイロット・データにしたがって最も好ましいタイルを利用することによって、その後のチャネルの推定および復号を可能にしうる。
【００４３】
図４を参照して、時間にわたって制御情報を送信するために利用される、確保された制御セグメント４００の例が示される。確保された制御セグメント４００は、制御情報を通信するための多くの周波数トーン（例えば、ここでは１６と示される）を有する多くのＯＦＤＭシンボル（例えば、ここでは８と示される）として表されうる。ＯＦＤＭシンボル内の、より多くのあるいはより少ないＯＦＤＭシンボルおよび／またはサブキャリアが、制御情報を送信するために利用され、この図は、記載された主題とともに使用される実質的に無制限な構成のうちの１つの代表であることが認識されるべきである。さらに、ＯＦＤＭシンボルは、１または複数のフレーム、フレームの一部、および／または、制御情報のために確保されたプリアンブルを表しうる。それに加えて、制御情報を送信するために使用すべきＯＦＤＭシンボルは、例えば、別の時間フレームでは変わりうる。デバイスは、既に述べたように、確保された制御セグメントの一部を用いて、無線モバイル・ネットワーク内の別のデバイスと制御情報を通信しうる。
【００４４】
ＯＦＤＭシンボルにおける隣接した（例えば、時間または周波数において隣接している）周波数トーンまたはサブキャリアは、タイルと称されうる。したがって、２×２のタイルの集合が、４０４、４０６、４０８、および４１０として示される。ｎとｍとが正の整数である場合、これらタイルは、ｎ×ｍでありうることが認識されるべきである。例えば、これらタイルは、単一のトーンであるか、あるいは、複数の隣接したトーン、あるいは、複数の隣接しないトーンでありうる。これらタイルは、別のデバイスからの制御情報通信を表しうる。したがって、例えば、別の送信機は、４０２に示す帯域幅部分のための非制御情報通信のための電力を低減し、実質的な干渉なく制御情報の送信を可能にする。４０４および４０６に示すタイルは、制御情報を通信する第１のデバイスに関連し、４０８および４１０に示すタイルは、制御情報を通信する第２のデバイスからのものでありうる。制御情報は、誤り制御符号によって符号化され、コヒーレントに、あるいは、非コヒーレントに、高次の変調シンボルへ変調されうる（例えば、フェーズ・シフト・キーイング（ＰＳＫ）、直交振幅変調（ＱＡＭ）等）。さらに、図示するように、ランダムまたは準ランダムに選択された、あるいは、ＭＡＣ識別子に特有でありうる１または複数の多重化計画にしたがって選択されたタイルにおいてデータが多重化されうる。さらに、符号化計画および変調計画が、所与の送信機に特有でありうる。したがって、これらタイルは、タイル間で衝突が無いか、衝突がほとんどしない可能性の高い、確保された制御セグメントで、制御情報を送信するために利用されうる。
【００４５】
しかしながら、図示するように、例えば４０４におけるタイルのように、タイルの一部が干渉を受ける場合、チャネルが推定され、タイルの残りを用いてデータが復号されるように、制御情報が、タイルにおいて多重化されうる。さらに、タイルのうち、干渉をうけた部分はまた、干渉の推定に依存して、推定に使用されうる。さらに、チャネル推定は、制御情報が非コヒーレントに変調されるイベントでは、必ずしも必要とされないことが認識されるべきである。確保された制御セグメントの一部を再使用することによって、正しい推定および復号を阻止するように、制御情報のうちのすべてのタイルが干渉を受ける可能性を実質的に低減する。それに加えて、１または複数のタイルにおける干渉の検出を容易にするために、パイロット・データが制御情報と多重化されうる。したがって、パイロットにしたがって干渉が検出される場合、チャネル推定が必要とされる場合、データ復号のためにチャネルを推定する際に、所与のタイルが無視されるか、あるいは、少ない重みしか与えられない。パイロットは、干渉推定のためには必要とされず、いくつかの場合では、パイロットが不在の場合、あるいはパイロットと連携して、データ・シンボルもまた利用されうることが認識されるべきである。さらに、一例において、タイル４０６は、４０４におけるように、衝突の可能性をさらに低くする複製データでありうる。したがって、４０４と４０６のうちの１つが推定されうるか、あるいは、判定されうる限り、４０４および／または４０６が部分的に干渉をうける場合であっても、データは復号されうる。したがって、送信機が、制御チャネルの非制御情報送信のための電力を低減し、制御チャネルにおけるランダムなまたは再使用可能なデータの多重化を可能にすることによって、データは、干渉と直面していても、高い成功確率で復号されうる。
【００４６】
図５および図６を参照して、無線ネットワーク構成において、正しく復号することが高い可能性で制御情報を送信することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４７】
図５に移って、制御情報に特化されたタイルの確保された制御セグメントを用いて制御情報を送信することを容易にする方法５００が例示される。５０２では、制御情報が生成される。制御情報は、例えば、データ通信チャネルにおける通信品質に関連しうるか、あるいは、割り当てられたリソースに関連するその他の情報でありうる。５０４では、制御情報が符号化され変調されうる。例えば、制御情報は、リード・ソロモン、畳み込み符号化、ブロック符号化、ターボ符号化等を含む１または複数の誤り制御符号によって符号化されうる。変調は、データを１または複数のシンボルに変換するために、ＰＳＫ、ＱＡＭ等のうちの１または複数を用いることに関連しうる。
【００４８】
５０６では、制御情報に冗長レベルを与えるために、複数のタイルにおいて制御情報が多重化されうる。したがって、タイルの一部が干渉を受けると、残りのタイルは、帯域幅の一部によるチャネルの推定、および／または、データの復号のために利用されうる。データは、隣接するタイルにおいて多重化されるか、および／または、利用可能な帯域幅にわたって拡散されうる。多重化するためのタイルもまた、ランダムな構成、計画された構成、および／または、無線ネットワークに関連する１または複数の推論に基づく構成に基づいて選択されうる。５０８では、制御情報が、複数のタイルによって送信されうる。
【００４９】
図６を参照して、制御情報を送信するために確保された制御セグメントで電力をブランクまたは低減し、確保された制御セグメントで制御情報を受信することを容易にする方法６００が例示される。６０２では、例えば、確保された制御セグメントのような制御情報を送信するために確保された帯域幅の一部によって制御情報が受信されうる。制御情報は、例えばチャネルのＳＮＲ等を含むチャネル品質が関連付けられうる。制御情報は、確保された制御セグメントにおいて多重化されうる。例えば、ＯＦＤＭが通信のために利用され、上述したように、確保された制御セグメントを備える１または複数の通信タイルにおいて制御情報が多重化されうる。
【００５０】
６０４では、制御情報のうちの少なくとも一部において干渉が推定されうる。これは、制御情報を解釈することを容易にしうる。例えば、しきい値干渉を有する部分が無視されるか、あるいは、しきい値未満の部分とは異なって重み付けされうる。一例では、制御情報の任意の部分について、しきい値を超える干渉が存在しないことが認識されるべきである。６０６では、説明するように、干渉推定値を用いて、制御情報が復号されうる。
【００５１】
本明細書に記載された１または複数の態様によれば、説明するように、制御情報を送信するための帯域幅の部分を選択することに関して推論がなされうることが認識されるだろう。本明細書で使用されるように、「推論する」または「推論」という用語は一般に、イベントおよび／またはデータによって取得されるような観察のセットから、システム、環境、および／または、ユーザの状態を推理または推論するプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５２】
一例によれば、上述した１または複数の方法は、制御情報を送信するために利用可能な帯域幅部分、別のデバイスによって利用される部分、制御情報を送信する計画の存在、１または複数のデバイスまたは基地局の干渉またはアクティビティ・レベル等に関する推論を行うことを含みうる。
【００５３】
図７は、帯域幅の確保された制御セグメントを再使用することによって制御情報を送信することを容易にするモバイル・デバイス７００の例示である。モバイル・デバイス７００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機７０２を備えうる。受信機７０２は、受信したシンボルを復調し、それらをチャネル推定のためにプロセッサ７０６へ提供する復調器７０４を備えうる。プロセッサ７０６は、受信機７０２によって受信された情報を分析すること、および／または、送信機７１８による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとのすべて行うプロセッサでありうる。
【００５４】
モバイル・デバイス７００はさらにメモリ７０８を備えうる。このメモリ７０８は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５５】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００５６】
プロセッサ７０６はさらに、例えば、１または複数の基地局またはその他のアクセス・ポイントとの通信に関連する制御情報を生成する制御情報定義部７１０と、制御情報を送信する帯域幅のうちの確保された制御セグメントの一部を選択する制御帯域幅再使用部７１２と動作可能に結合されうる。例えば、制御帯域幅再使用部７１２は、制御情報定義部７１０によって指摘された制御情報を送信するための帯域幅のうちの確保された制御セグメントの１または複数の部分（例えば、確保された制御セグメントが、所与の時間フレームに関するＯＦＤＭシンボルの集合である１または複数のタイル）を選択しうる。制御情報は、確保された制御セグメントの一部において多重化され、これによって、その他のデバイスが、完全な干渉であることが低い可能性で、確保された同じ制御セグメントによって制御情報を送信することができる。したがって、確保された制御セグメントの複数の部分が、制御情報を備えている場合、制御情報の受信機は、データをより復号する可能性が高くなりうる。
【００５７】
さらに、プロセッサ７０６は、データ／パイロット・マルチプレクサ７１４と動作可能に結合されうる。データ／パイロット・マルチプレクサ７１４は、確保された制御セグメントのうちの多重化された部分においてパイロットと制御情報とを多重化しうる。これによって、データの受信機は、パイロットを受信／復号することが成功したことに基づいて、制御情報の干渉部分を判定しうる。この目的のために、確保された制御セグメントのうちの干渉を受けた部分が、制御情報を復号する際に無視されうる。モバイル・デバイス７００はさらに、信号を変調する変調器７１６と、この信号を例えば基地局、別のモバイル・デバイス等へ送信する送信機７１８とを備える。プロセッサ７０６と別に示されているが、制御情報定義部７１０、制御帯域幅再使用部７１２、データ／パイロット・マルチプレクサ７１４、復調器７０４、および／または、変調器７１４は、プロセッサ７０６または複数のプロセッサ（図示せず）のうちの一部でありうることが認識されるべきである。
【００５８】
図８は、制御情報のために確保された帯域幅のうちの、確保された制御セグメントをブランクすることと、これら部分で送信された制御情報を復号することとを容易にするシステム８００の例示である。このシステム８００は、複数の受信アンテナ８０６によって１または複数のモバイル・デバイス８０４から信号を受信する受信機８１０と、送信アンテナ８０８によって１または複数のモバイル・デバイス８０４へ信号を送信する送信機８２４とを備える、基地局８０２（例えば、アクセス・ポイント）を備える。受信機８１０は、受信アンテナ８０６から情報を受信する。さらに、受信した情報を復調する復調器８１２と動作可能に関連付けられている。復調されたシンボルは、図７に関連して上述されたプロセッサと類似のプロセッサ８１４によって分析される。プロセッサ８１４は、信号（例えばパイロット）強度および／または干渉強度を推定することに関連する情報、モバイル・デバイス８０４（または（図示しない）別の基地局）へ／から送信される／受信されたデータ、および／または、本明細書に記載されたさまざまな動作および機能を実行することに関連するその他任意の適切な情報を格納するメモリ８１６に結合されている。プロセッサ８１４はさらに、１または複数のモバイル・デバイス８０４から制御情報を送信するために利用される関連する帯域幅の部分（例えば、所与の時間期間におけるＯＦＤＭシンボルのうちの１または複数のトーン）を推定する制御帯域幅推定器８１８と、制御情報を復号する制御情報復号器８２０とに結合される。
【００５９】
例えば、制御帯域幅推定器８１８は、説明するように、受信された制御情報タイルにしたがって、モバイル・デバイス８０４によって制御情報を送信するために利用される帯域幅部分を決定しうる。さらに、制御情報復号器８２０は、受信した制御情報を、干渉を受けていない多くの部分を用いて復号しうる。例えば、制御情報は、他のモバイル・デバイスからのデータと共に、確保された制御セグメントによって送信されうる。減少しているものの、送信された制御情報のうちの少なくとも一部は、別のモバイル・デバイスのうちの１または複数によって干渉を受ける可能性がある。この場合、干渉を受けていない部分が（例えば、多重化された基準データまたはパイロット・データによって）判定され、復号に利用されうる。さらに、プロセッサ８１４と別に示されているが、制御帯域幅推定器８１８、制御情報復号器８２０、復調器９１２、および／または、変調器８２２は、プロセッサ８１４または複数のプロセッサ（図示せず）の一部でありうることが認識されるべきである。
【００６０】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、その間の無線通信を容易にするために、本明細書に記載されたシステム（図１乃至図３、図７および図８）、例（図４）、および／または方法（図５および図６）を適用しうることが認識されるべきである。
【００６１】
基地局９１０では、多くのデータ・ストリームのためのトラフィック・データが、データ・ソース９１２から送信（ＴＸ）データ・プロセッサ９１４へ提供される。一例によれば、おのおののデータ・ストリームは、それぞれのアンテナを介して送信される。ＴＸデータ・プロセッサ９１４は、トラフィック・データ・ストリームをフォーマットし、このデータ・ストリームのために選択された特定の符号化計画に基づいて符号化し、インタリーブして、符号化されたデータを提供する。
【００６２】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符号化されたデータは、データ・ストリームのために選択された特定の変調計画（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６３】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６４】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６５】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６６】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６７】
プロセッサ９７０は、上述したように、どの事前符号化行列を使用するのかを定期的に決定する。さらに、プロセッサ９７０は、行列インデクス部およびランク値部を備えた逆方向リンク・メッセージを規定することができる。
【００６８】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００６９】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージを抽出する。さらに、プロセッサ９３０は、ビームフォーミング重みを決定するためにどの事前符号化行列を使用するかを決定するために、この抽出されたメッセージを処理する。
【００７０】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００７１】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７２】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００７３】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７４】
図１０に示すように、無線ネットワークにおいて制御情報を受信することを容易にするシステム１０００が例示される。例えば、システム１０００は、基地局、モバイル・デバイス等の中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、制御情報を送信することに特化された確保された制御セグメントによって受信した１または複数のタイルのそれぞれの干渉レベルを判定するための電子構成要素１００４を含みうる。例えば、実質的にすべての類似する送信システムが、制御情報を送信するための干渉を緩和するために、確保された制御セグメントによる非制御情報通信の電力をブランクまたは低減しうる。さらに、これらモバイル・デバイスは、帯域幅のうち確保された制御情報部分中に制御情報を送信するが、制御情報送信中にいまだに干渉が生じうる。しかしながら、多重化のために帯域幅のうちのより多くの部分が使用されると、干渉の可能性も低くなる。それでも、制御チャネルが推定され、帯域幅の一部からデータが復号される干渉が部分的に生じうる恐れがある。さらに、論理グループ１００２は、それぞれの干渉レベルに少なくとも部分的に基づいて、後の復号のために、タイルに重み付けをするための電子構成要素１００６を備えうる。したがって、説明するように、一例において、制御情報は、部分的に干渉を受ける。この場合、重み付けは、制御情報を復号する際にどの部分を利用すべきかを決定することを容易にしうる。さらに、システム１０００は、電子構成要素１００４、１００６に関連付けられた機能を実行するための命令群を保持するメモリ１００８を含みうる。メモリ１０１０の外側にあるとして示されているが、電子構成要素１００４、１００６のうちの１または複数は、メモリ１０１０内に存在しうることが理解されるべきである。
【００７５】
図１１に移って、無線ネットワークにおいて、帯域幅の確保された部分によって制御情報を通信するシステム１１００が例示される。システム１１００は、例えば、基地局、モバイル・デバイス等に存在しうる。図示するように、システム１１００は、プロセッサ、ソフトウェア、または（例えば、ファームウェアのような）これらの組み合わせによって実現される機能を表しうる。システム１１００は、制御情報の通信を容易にする電子構成要素からなる論理グループ１１０２を含む。論理グループ１１０２は、制御情報を送信するために特化された確保された制御セグメントに関連する通信帯域幅のタイルのサブセットを確保するための電子構成要素１１０４を含みうる。この制御情報は、例えばデータ・チャネル等のような、アクセス・ポイントによって提供されるリソースにおける信号強度および／またはＳＮＲに関連し、別の無線通信装置が、確保された制御セグメントによる可能な干渉を低減することを容易にするために、確保された制御セグメントによる規則的な非制御情報送信をブランクしうる。さらに、論理グループ１１０２は、制御情報を送信するためのタイルのサブセットの部分を選択するための電子構成要素１１０６を備えうる。この部分は、本明細書で説明するように、送信機識別子等に基づいて、例えばランダムまたは準ランダムに選択されうる。さらに、論理グループ１１０２は、タイルのサブセットの部分によって制御情報を送信するための電子構成要素１１０８を備えうる。さらに、システム１１００は、電子構成要素１１０４、１１０６、１１０８に関連付けられた機能を実行するための命令群を保持するメモリ１１１０を含みうる。メモリ１１１０の外部にあるとして示されているが、電子構成要素１１０４、１１０６、１１０８は、メモリ１１１０の内部に存在しうることが理解されるべきである。
【００７６】
上述したものは、１または複数の実施形態の一例を含んでいる。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、本願出願の当初の特許請求の範囲に記載された発明を付記する。
［Ｃ１］
無線ネットワークにおいて制御情報を通信することを容易にする方法であって、
制御情報を送信することに特化された確保された制御セグメントのうちの１または複数のタイルによって送信された前記制御情報を受信することと、
前記１または複数のタイルのそれぞれの干渉レベルを判定することと、
前記それぞれの干渉レベルに少なくとも部分的に基づいて、後の復号のために、前記１または複数のタイルに重み付けをすることと
を備える方法。
［Ｃ２］
前記それぞれの干渉レベルのうちの少なくとも１つは、前記１または複数のタイルのうちの関連するタイル内のパイロット信号に少なくとも部分的に基づいて判定されるＣ１に記載の方法。
［Ｃ３］
送信機によって利用されるランダムまたは準ランダムな関数に少なくとも部分的に基づいて、前記１または複数のタイルを判定することをさらに備えるＣ１に記載の方法。
［Ｃ４］
前記ランダムまたは準ランダムな関数は、前記送信機に特有であるＣ３に記載の方法。
［Ｃ５］
前記１または複数のタイルから周波数応答を推定することをさらに備えるＣ１に記載の方法。
［Ｃ６］
前記周波数応答に少なくとも部分的に基づいて、前記１または複数のタイルからの前記制御情報を復号することをさらに備えるＣ５に記載の方法。
［Ｃ７］
前記周波数応答は、しきい干渉値未満の干渉レベルを持つ１または複数のタイルのサブセットに少なくとも部分的に基づいて推定されるＣ５に記載の方法。
［Ｃ８］
前記１または複数のタイルは、１または複数の隣接するＯＦＤＭシンボルのうちの１または複数の隣接するサブキャリアを備えるＣ１に記載の方法。
［Ｃ９］
前記制御情報は、前記１または複数のタイルにおいて符号化された１または複数の変調シンボルとしてランダムに多重化されるＣ７に記載の方法。
［Ｃ１０］
無線通信装置であって、
確保された制御セグメントによって受信された１または複数の制御情報タイルにおける干渉レベルを判定し、前記干渉レベルに少なくとも部分的に基づいて、後の復号のために、前記制御情報タイルに重み付けをするように構成されたプロセッサと、
前記少なくとも１つのプロセッサに結合されたメモリと
を備える無線通信装置。
［Ｃ１１］
前記少なくとも１つのプロセッサはさらに、前記１または複数の制御情報タイル内のパイロットに少なくとも部分的に基づいて、前記１または複数の制御情報タイルから制御チャネルを推定し、前記制御チャネルからの制御情報を復号するように構成されたＣ１０に記載の無線通信装置。
［Ｃ１２］
前記１または複数の制御情報タイルは、１または複数のＯＦＤＭシンボルにおける１または複数のトーンを備えるＣ１１に記載の無線通信装置。
［Ｃ１３］
前記制御情報タイルは、前記制御情報タイルの少なくとも一部によって、別のデバイスから受信した１または複数の別の制御情報タイルによって部分的に干渉を受けるＣ１２に記載の無線通信装置。
［Ｃ１４］
前記１または複数の制御情報タイルは、前記確保された制御セグメント内にランダムに位置するＣ９に記載の無線通信装置。
［Ｃ１５］
前記ランダムな位置は、前記１または複数の制御情報タイルの送信機に特有であるＣ１４に記載の無線通信装置。
［Ｃ１６］
前記１または複数の制御情報タイルは、前記確保された制御セグメントにおいて時間または周波数において隣接しているＣ１４に記載の無線通信装置。
［Ｃ１７］
無線ネットワークにおいて制御情報を通信することを容易にする無線通信装置であって、
制御情報を送信することに特化された確保された制御セグメントによって受信された１または複数のタイルのそれぞれの干渉レベルを判定する手段と、
前記それぞれの干渉レベルに少なくとも部分的に基づいて、後の復号のために、前記１または複数のタイルに重み付けをする手段と
を備える無線通信装置。
［Ｃ１８］
前記それぞれの干渉レベルのうちの少なくとも１つは、前記１または複数のタイルのうちの関連するタイル内のパイロット信号に少なくとも部分的に基づいて判定されるＣ１７に記載の無線通信装置。
［Ｃ１９］
送信機によって利用されるランダムまたは準ランダムな関数に少なくとも部分的に基づいて、前記１または複数のタイルを判定する手段をさらに備えるＣ１７に記載の無線通信装置。
［Ｃ２０］
前記ランダムまたは準ランダムな関数は、前記送信機に特有であるＣ１９に記載の無線通信装置。
［Ｃ２１］
制御情報送信計画を前記送信機へ送信する手段をさらに備え、
制御情報は、前記制御情報送信計画にしたがって、１または複数のタイルにおいて多重化されるＣ１９に記載の無線通信装置。
［Ｃ２２］
前記１または複数のタイルから１または複数の制御チャネルを推定する手段をさらに備え、
前記推定された制御チャネルに少なくとも部分的に基づいて制御情報が復号されるＣ１７に記載の無線通信装置。
［Ｃ２３］
コンピュータ読取可能媒体を備えたコンピュータ・プログラム製品であって、
前記コンピュータ読取可能媒体は、
少なくとも１つのコンピュータに対して、制御情報を送信するために特化された確保された制御セグメントのうちの１または複数のタイルによって送信された前記制御情報を受信させるためのコードと、
前記少なくとも１つのコンピュータに対して、前記１または複数のタイルのそれぞれの干渉レベルを判定させるためのコードと、
前記少なくとも１つのコンピュータに対して、前記それぞれの干渉レベルに少なくとも部分的に基づいて、後の復号のために、前記１または複数のタイルに重み付けすることを実行させるためのコードと
を備えるコンピュータ・プログラム製品。
［Ｃ２４］
前記それぞれの干渉レベルのうちの少なくとも１つは、前記１または複数のタイルのうちの関連するタイル内のパイロット信号に少なくとも部分的に基づいて判定されるＣ２３に記載のコンピュータ・プログラム製品。
［Ｃ２５］
無線通信装置であって、
制御情報を送信するために特化された確保された制御セグメントによって受信された１または複数のタイルのそれぞれの干渉レベルを判定し、前記それぞれの干渉レベルに少なくとも部分的に基づいて、後の復号のために、前記１または複数のタイルに重み付けするように構成されたプロセッサと、
前記プロセッサに結合されたメモリと
を備える無線通信装置。
［Ｃ２６］
無線ネットワークにおいて制御情報を送信することを容易にする方法であって、
制御情報の送信に特化された確保された制御セグメントを形成する通信帯域幅のタイルのサブセットを判定することと、
前記確保された制御セグメントのタイルの一部で前記制御情報を送信することと
を備える方法。
［Ｃ２７］
前記制御情報は、ランダムまたは準ランダムなシーケンスに少なくとも部分的に基づいて、前記確保された制御セグメントのタイルの一部において多重化されるＣ２６に記載の方法。
［Ｃ２８］
前記ランダムまたは準ランダムなシーケンスは、送信機に特有であるＣ２７に記載の方法。
［Ｃ２９］
前記ランダムまたは準ランダムなシーケンスは、セクタに特有であるＣ２７に記載の方法。
［Ｃ３０］
前記制御情報を、前記確保された制御セグメントのタイルの一部で送信することをさらに備えるＣ２９に記載の方法。
［Ｃ３１］
前記確保された制御セグメントのタイルの一部は、干渉判定を容易にするパイロット情報を備えるＣ２６に記載の方法。
［Ｃ３２］
無線通信装置であって、
制御情報を送信することに特化されたタイルのうちの確保された制御セグメントの一部である１または複数のタイルによって制御情報を送信するように構成された少なくとも１つのプロセッサと、
前記少なくとも１つのプロセッサに結合されたメモリと
を備える無線通信装置。
［Ｃ３３］
前記少なくとも１つのプロセッサはさらに、ランダムまたは準ランダムなシーケンスに少なくとも部分的に基づいて、前記１または複数のタイルを選択するように構成されたＣ３２に記載の無線通信装置。
［Ｃ３４］
前記シーケンスは前記無線通信装置に特有であるＣ３３に記載の無線通信装置。
［Ｃ３５］
前記シーケンスは、前記確保された制御セグメントによる無線通信装置干渉を最小化するために、予め定めた構成に少なくとも部分的に基づいて選択されるＣ３３に記載の無線通信装置。
［Ｃ３６］
前記１または複数のタイルはさらに、パイロット情報を備えるＣ３２に記載の無線通信装置。
［Ｃ３７］
無線ネットワークにおいて制御情報を送信するための無線通信装置であって、
制御情報を送信するために特化された確保された制御セグメントに関連する通信帯域幅のタイルのサブセットを確保する手段と、
制御情報を送信するためのタイルのサブセット部分を選択する手段と、
前記タイルのサブセット部分で制御情報を送信する手段と
を備える無線通信装置。
［Ｃ３８］
前記制御情報に誤り制御符号を加える手段をさらに備えるＣ３７に記載の無線通信装置。
［Ｃ３９］
前記タイルのサブセット部分において、前記制御情報を、パイロットとともに多重化する手段をさらに備えるＣ３７に記載の無線通信装置。
［Ｃ４０］
前記制御情報は、前記無線通信装置に特有のランダムなシーケンスにしたがって変調されるＣ３９に記載の無線通信装置。
［Ｃ４１］
前記確保された制御セグメントは、複数の別の無線通信装置によって制御情報を送信するために特化されたＣ３７に記載の無線通信装置。
［Ｃ４２］
コンピュータ読取可能媒体を備えるコンピュータ・プログラム製品であって、
前記コンピュータ読取可能媒体は、
少なくとも１つのコンピュータに対して、制御情報を送信することに特化された確保された制御セグメントを形成する通信帯域幅のタイルのサブセットを判定させるためのコードと、
前記少なくとも１つのコンピュータに対して、前記確保された制御セグメントのタイルの一部によって制御情報を送信させるためのコードと
を備えるコンピュータ・プログラム製品。
［Ｃ４３］
前記制御情報は、ランダムまたは準ランダムなシーケンスに少なくとも部分的に基づいて、前記確保された制御セグメントのタイルの一部において多重化されるＣ４２に記載のコンピュータ・プログラム製品。
［Ｃ４４］
無線通信装置であって、
制御情報を送信するために確保された制御セグメントに関連する通信帯域幅のタイルのサブセットを確保し、前記確保された制御セグメントのタイルの一部によって制御情報を送信するように構成されたプロセッサと、
前記プロセッサに結合されたメモリと
を備える無線通信装置。
【図１】
0005726955.tif 000002
【図２】
0005726955.tif 000003
【図３】
0005726955.tif 000004
【図４】
0005726955.tif 000005
【図５】
0005726955.tif 000006
【図６】
0005726955.tif 000007
【図７】
0005726955.tif 000008
【図８】
0005726955.tif 000009
【図９】
0005726955.tif 000010
【図１０】
0005726955.tif 000011
【図１１】
0005726955.tif 000012